(57)【要約】【課題】  アクチュエータを開放位置から閉鎖位置まで操作するとき、ＦＰＣ等の接続対象物がカムによってハウジングから排出される方向にずれないコネクタを提供する。【解決手段】  アクチュエータ４は、図示の位置から約９０度右回転可能にハウジング２の壁部２ｂ，２ｄ，２ｅに支持されている。アクチュエータに設けられたカム４ａが多数のコンタクト３の凹部３ｆ１に係合しているので、アクチュエータはハウジングから離脱しない。アクチュエータが約９０度右回転すると、カム４ａはコンタクトの枢支部３ｆを押し上げる。すると、第１連結部３ｃが弾性変形するから、接触部３ｅの接点３ｅ１はＦＰＣ１１の先端部をハウジングの壁部２ｂに押し付ける。この際、ＦＰＣの接点は、コンタクトの接点と接続する。【選択図】  図５
2006128018.tif 000002
【特許請求の範囲】
【請求項１】
コネクタは、ハウジングと、前記ハウジングに保持されるコンタクトと、前記ハウジングの壁部に回転可能に支持されるアクチュエータとを有し、
前記コンタクトは、前記ハウジングに固定される固定部と、前記固定部に連続する連結部と、前記連結部の一端側に連続する接触部と、前記連結部の他端側に連続する枢支部とを有し、
前記ハウジングは、前記接触部と対向する前記壁部を有し、
前記アクチュエータは、前記枢支部に設けられている係合部と係合するカムを有し、
接続対象物と接続する際、前記接続対象物が前記接触部と前記壁部との間に挿入され、前記アクチュエータの回転によって、前記カムで前記枢支部を移動させることにより、前記接触部が変位して前記接続対象物を前記壁部に押し付け、前記接触部の接点と前記接続対象物の接点とが接続することを特徴とするコネクタ。
【請求項２】
前記連結部は弾性変形可能であり、前記連結部の弾性変形により前記接触部が前記接続対象物を前記壁部に押し付けることを特徴とする請求項１記載のコネクタ。
【請求項３】
前記接触部及び前記枢支部は弾性変形可能であることを特徴とする請求項１記載のコネクタ。
【発明の詳細な説明】
【技術分野】
【０００１】
本発明は、フレキシブルプリント回路基板（ＦＰＣ）等と接続するコネクタに関し、詳しく述べると、接続に際し、アクチュエータのカムによるＦＰＣ等のずれが生じないコネクタに関する。
【背景技術】
【０００２】
従来のＦＰＣ用コネクタについて説明する（例えば、特許文献１参照。）。
【０００３】
図７と図８に示されるように、コネクタ２１のハウジング２２には、多数のコンタクト２３が紙面と直交する方向に一定のピッチで保持され、また、アクチュエータ２４がアクチュエータ２４と一体に形成された断面略円形状のカム２４ａを中心として回転可能に取り付けられている。
【０００４】
コンタクト２３は、ハウジング２２の凹部２２ａに固定される固定部２３ａと、固定部２３ａの一方側に連続する端末部２３ｂと、固定部２３ａの他方側に連続する接触部２３ｃと、接触部２３ｃに直交する方向に連続する連結部２３ｄと、連結部２３ｄに直交する方向に連続する押圧支持部２３ｅとから一体に構成される。
【０００５】
接触部２３ｃの先端付近には、接点２３ｃ１が形成され、また、押圧支持部２３ｅの先端付近には、カム２４ａの円弧状面２４ａ１を押圧支持するための円弧状係合部２３ｅ１が形成されている。
【０００６】
ＦＰＣ（図示せず）は、アクチュエータ２４が開放されている図７の状態において、ハウジング２２の挿入口２２ｂから受入部２２ｃまで挿入される。この状態では、ＦＰＣの上面は、カム２４ａの平坦面２４ａ２に対向し、また、ＦＰＣの下面は、コンタクト２３の接点２３ｃ１に対向するが、接続していない。
【０００７】
アクチュエータ２４を図７の状態においてカム２４ａを中心として約９０度右回転すると、カム２４ａの円弧状面２４ａ１がＦＰＣの上面を下方に押圧するので、ＦＰＣの下面に設けられた接点はコンタクト２３の接点２３ｃ１と接続する。
【０００８】
なお、この種のＦＰＣ等用コネクタは、特許文献２にも記載されている。
【０００９】
【特許文献１】特開２００２−１５８２６号公報
【特許文献２】特開２００２−１２４３３１号公報
【発明の開示】
【発明が解決しようとする課題】
【００１０】
前記従来のＦＰＣ用コネクタでは、アクチュエータを開放位置から閉鎖位置まで回転するとき、ＦＰＣは、カムによってハウジングの挿入口から排出される方向にずれる欠点が生じる。
【００１１】
そこで、本発明は、前記従来のＦＰＣ用コネクタの欠点を改良し、アクチュエータを開放位置から閉鎖位置まで操作するとき、ＦＰＣ等の接続対象物がカムによってハウジングから排出される方向にずれないコネクタを提供しようとするものである。
【課題を解決するための手段】
【００１２】
本発明は、前記課題を解決するため、次の手段を採用する。
【００１３】
１．コネクタは、ハウジングと、前記ハウジングに保持されるコンタクトと、前記ハウジングの壁部に回転可能に支持されるアクチュエータとを有し、前記コンタクトは、前記ハウジングに固定される固定部と、前記固定部に連続する連結部３ｃ，３ｄと、前記連結部の一端側に連続する接触部と、前記連結部の他端側に連続する枢支部とを有し、前記ハウジングは、前記接触部と対向する前記壁部を有し、前記アクチュエータは、前記枢支部に設けられている係合部３ｆ１と係合するカムを有し、接続対象物と接続する際、前記接続対象物が前記接触部と前記壁部との間に挿入され、前記アクチュエータの回転によって、前記カムで前記枢支部を移動させることにより、前記接触部が変位して前記接続対象物を前記壁部に押し付け、前記接触部の接点と前記接続対象物の接点とが接続するコネクタ。
【００１４】
２．前記連結部は弾性変形可能であり、前記連結部の弾性変形により前記接触部が前記接続対象物を前記壁部に押し付ける前記１記載のコネクタ。
【００１５】
３．前記接触部及び前記枢支部は弾性変形可能である前記１記載のコネクタ。
【発明の効果】
【００１６】
明細書の説明から明らかなように、本発明は、次の効果を奏する。
【００１７】
１．アクチュエータのカムがＦＰＣ等の接続対象物を押圧しないので、アクチュエータの回転の際、接続対象物がハウジングから排出される支障は生じない。
【００１８】
２．アクチュエータとカムが、それぞれハウジングの壁部とコンタクトの枢支部の係合部によって支持されるので、ことさらアクチュエータが回転するための軸を必要としない。
【００１９】
３．塵埃がハウジングの挿入部に侵入することを、壁部によって防止することができる。したがって、コンタクトの接点と接続対象物の接点との接触不良が、減少する。
【００２０】
４．接続対象物の一面は、通常表面が平坦な壁部と当接するため、接続対象物に無用な変形が生じない。
【発明を実施するための最良の形態】
【００２１】
本発明の一実施例のフレキシブル基板用コネクタについて説明する。
【実施例１】
【００２２】
本発明の実施例１のフレキシブル基板と接続するコネクタについて図１〜図６を参照して説明する。
【００２３】
図１は、アクチュエータ４が開放されている状態のコネクタ１の斜視図である。
【００２４】
図２は、アクチュエータ４が開放されている状態のコネクタ１の斜視図であるが、アクチュエータ４の一部が破断されてコンタクト３を見ることができる。コネクタ１のハウジング２には、多数のコンタクト３が一定のピッチで１列に保持されている。アクチュエータ４は、ハウジング２に回転可能に支持されている（詳細は、後述する。）。ハウジング２の挿入口２ａからＦＰＣ１１（図３参照）が、挿入される。ハウジング２の左右両側には、ハウジング２を固定するためのホールドダウン５が取り付けられている。
【００２５】
図３は、ＦＰＣ１１がコネクタ１に挿入されてアクチュエータ４が閉鎖された状態の斜視図である。この状態では、ＦＰＣ１１の接点は、コネクタ１のコンタクト３の接点と接続している。
【００２６】
図４は、アクチュエータ４が開放されている状態のコネクタ１の断面図である。コンタクト３は、ハウジング２に固定される固定部３ａと、固定部３ａの一端側に連続する端子部３ｂと、固定部３ａの他端側に連続する第１連結部３ｃと、第１連結部３ｃに連続する第２連結部３ｄと、第２連結部３ｄの一端側に連続する接触部３ｅと、第２連結部３ｄの他端側に連続する枢支部３ｆとから一体に構成される。第１連結部３ｃは、弾性変形可能である。第２連結部３ｄと接触部３ｅと枢支部３ｆとは、略Ｕ字状に形成されている。接触部３ｅの先端付近には、ＦＰＣ５の接点（図示せず）と接続する接点３ｅ１が設けられ、また、枢支部３ｆの先端付近には、アクチュエータ４のカム４ａと係合する凹部３ｆ１が設けられている。接触部３ｅと枢支部３ｆは、ハウジング２の壁部２ｂとアクチュエータ４のカム４ａを挟むように配置されている。
【００２７】
ハウジング２の挿入口２ａの奥に壁部２ｂが形成され、壁部２ｂの上方にアクチュエータ４のカム４ａが位置する。更に、ハウジング２には、壁部２ｂとコンタクト３の接触部３ｅとの間に、ＦＰＣ１１の先端部を挿入するための挿入部２ｃが形成される。
【００２８】
図５は、アクチュエータ４が開放されているときのコネクタ１にＦＰＣ１１が挿入された状態の断面図である。ＦＰＣ１１の先端部は、ハウジング２の挿入口２ａを通過して挿入部２ｃまで挿入されている。
【００２９】
図６は、ＦＰＣ１１がコネクタ１に挿入されているときにアクチュエータ４が閉鎖された状態の断面図である。
【００３０】
アクチュエータ４は、カム４ａを中心として図５の位置と図６の位置との間を約９０度回転することができるようにハウジング２の壁部２ｂ，２ｄ，２ｅに支持されている。アクチュエータ４のカム４ａが多数のコンタクト３の凹部３ｆ１に係合しているので、アクチュエータ４はハウジング２から離脱しない。
【００３１】
アクチュエータ４が図５の位置から図６の位置まで回転すると、アクチュエータ４に設けられたカム４ａはコンタクト３の枢支部３ｆを押し上げる。すると、第１連結部３ｃが弾性変形するから、接触部３ｅの接点３ｅ１はＦＰＣ１１の先端部をハウジング２の壁部２ｂに押し付ける。この際、ＦＰＣ１１の接点は、コンタクト３の接点３ｅ１と接続する。
【００３２】
本実施例１においては、コンタクト３の第１連結部３ｃ、接触部３ｅ又は枢支部３ｆの少なくとも１箇所は、弾性変形可能である必要がある。第２連結部３ｄは、弾性変形可能であるか否かを問わないが、弾性変形することが望ましい。また、アクチュエータ４のカム４ａは、断面が円形状であると、コンタクト３の凹部３ｆ１に対して容易に回転することができる。
【００３３】
ハウジング２と各コンタクト３とアクチュエータ４との組立は、次のように行う。まず、ハウジング２にアクチュエータ４を組み込む。次に、各コンタクト３の凹部３ｆ１をアクチュエータ４のカム４ａに係合する。
【図面の簡単な説明】
【００３４】
【図１】本発明の実施例１のフレキシブル基板用コネクタの斜視図であり、アクチュエータが開放されている状態を示す。
【図２】同アクチュエータが開放されている状態の同コネクタの斜視図であり、同アクチュエータの一部が破断されている。
【図３】フレキシブル基板が同コネクタに挿入されて同アクチュエータが閉鎖された状態の斜視図である。
【図４】同アクチュエータが開放されている状態の同コネクタの断面図である。
【図５】同アクチュエータが開放されているときの同コネクタに同フレキシブル基板が挿入された状態の断面図である。
【図６】同フレキシブル基板が同コネクタに挿入されているときに同アクチュエータが閉鎖された状態の断面図である。
【図７】従来のＦＰＣ用コネクタのアクチュエータが開放されている状態の断面図である。
【図８】同コネクタの同アクチュエータが閉鎖されている状態の断面図である。
【符号の説明】
【００３５】
１  コネクタ（フレキシブル基板用コネクタ）
２  ハウジング
２ａ  挿入口
２ｂ  壁部
２ｃ  挿入部
２ｄ  壁部
２ｅ  壁部
３  コンタクト
３ａ  固定部
３ｂ  端子部
３ｃ  第１連結部
３ｄ  第２連結部
３ｅ  接触部
３ｅ１  接点
３ｆ  枢支部
３ｆ１  凹部
４  アクチュエータ
４ａ  カム
５  ホールドダウン
１１  ＦＰＣ（フレキシブル基板）
【図１】
2006128018.tif 000003
【図２】
2006128018.tif 000004
【図３】
2006128018.tif 000005
【図４】
2006128018.tif 000006
【図５】
2006128018.tif 000007
【図６】
2006128018.tif 000008
【図７】
2006128018.tif 000009
【図８】
2006128018.tif 000010